(57)【要約】【課題】  装置の非動作時にはアクチュエータを確実にロックし、動作時には特別な制御を必要とすることなく、ロックを解除可能とする。【解決手段】  ヘッドスライダが実装されたアクチュエータをボイスコイルモータによって駆動する装置において、非動作時にアクチュエータを待避位置に機械的にロックするラッチと、そのラッチに取り付けられた磁性プレートと、その磁性プレートおよびボイスコイルモータのコイルに隣接するコイルとを備える。【選択図】      図３
2005044475.tif 000002
【特許請求の範囲】
【請求項１】
ヘッドスライダが実装されたアクチュエータをボイスコイルモータによって駆動する磁気ディスク装置において、
該磁気ディスク装置の非動作時に、該アクチュエータを待避位置に機械的にロックするラッチと、
該ラッチに取り付けられた磁性プレートと、
該磁性プレートと前記ボイスコイルモータのコイルとに隣接するコイルとを備えることを特徴とする電磁ラッチを備える磁気ディスク装置。
【請求項２】
ヘッドスライダが実装されたアクチュエータをボイスコイルモータによって駆動する磁気ディスク装置において、
該磁気ディスク装置の非動作時に、該アクチュエータを待避位置に機械的にロックするラッチと、
該ラッチに取り付けられた磁性プレートと、
該磁性プレートと前記ボイスコイルモータのコイルとに隣接する導電円管とを備えることを特徴とする電磁ラッチを備える磁気ディスク装置。
【発明の詳細な説明】
【技術分野】
【０００１】
本発明はデータ記憶装置に係り、更に詳しくはコンピュータなどの記憶装置であって、非動作時にヘッドスライダが実装されたアクチュエータをロックし、動作時にロックを電磁的に解除する電磁ラッチを備える磁気ディスク装置に関する。
【背景技術】
【０００２】
コンピュータなどの記憶装置として用いられる磁気ディスク装置に対しては、その低価格化、大容量かつ構造のコンパクト化などの要求と共に、対衝撃性の要求が強くなってきている。
【０００３】
特にノートパソコンなどに搭載される磁気ディスク装置においては、装置が動作していない時に、機械的な衝撃によってアクチュエータに実装されているヘッドスライダがディスク表面のデータ領域に移動してしまう状態が発生すると、データ領域表面を傷つけるような致命的な故障の原因となる可能性がある。
このような機械的衝撃によるアクチュエータの移動を防止するための技術として、次の文献がある。
【０００４】
【特許文献１】特開２００２−１００１４０号公報  「慣性ラッチ機構及びアクチュエータロック機構ならびにこれを用いた磁気ディスク装置」。
【０００５】
この文献では、磁気ディスク装置が動作していない時の機械的衝撃によってアクチュエータが記憶媒体上にロードしないように、慣性力を利用したラッチ機構を用いてアクチュエータのロックが行われている。
【０００６】
このように慣性力を利用したロック機構以外にも、アクチュエータの外部にソレノイドを設置し、そのソレノイドに流れる電流による電磁力を用いてラッチを制御し、アクチュエータをロックする構造をもつ磁気ディスク装置も存在する。
【０００７】
しかしながら、このように慣性力を利用したラッチ機構では、衝撃が間欠的に加えられるような場合に、アクチュエータをロックしきれずに、アクチュエータが媒体上にロードしてしまうことがあるという問題点があった。またアクチュエータの外部にソレノイドを備えるロック機構では、ソレノイドに電流を流すために新たな配線が必要であり、コストが  上がってしまうという問題点があった。
【発明の開示】
【発明が解決しようとする課題】
【０００８】
本発明の目的は、磁気ディスク装置の非動作時には機械的衝撃が加えられてもアクチュエータを確実にロックすることができ、また磁気ディスク装置の動作時にはコストのかかる配線および特別な制御を必要とすることなく、アクチュエータのロックを解除できるような電磁ラッチを備える磁気ディスク装置を提供することである。
【課題を解決するための手段】
【０００９】
本発明の磁気ディスク装置は、ヘッドスライダが実装されたアクチュエータをボイスコイルモータ（ＶＣＭ）によって駆動する磁気ディスク装置であり、磁気ディスク装置の非動作時にアクチュエータを待避位置に機械的にロックするラッチと、そのラッチに取り付けられた磁性プレートと、ボイスコイルモータのコイルおよびその磁性プレートの両方に隣接するコイルとを少なくとも備える。
【００１０】
本発明の磁気ディスク装置においては、その動作開始時にボイスコイルモータのコイルに流れる電流によって前記隣接コイルに流れる誘導電流が生ずる電磁力が前述の磁性プレートに働き、ラッチのロックを解除する動作が行われる。
【００１１】
発明の実施の形態においては、ボイスコイルモータのコイルおよび磁性プレートに隣接するコイルの代わりに導電円管を備え、ボイスコイルモータのコイルに流れる電流によってその導電円管に流れる誘導電流が生ずる電磁力が磁性プレートに働いて、ラッチのロックを解除することもできる。
【００１２】
以上のように本発明によれば、ボイスコイルモータのコイル、およびラッチの磁性プレートに隣接してコイルを備えることによって、電磁力によるラッチの解除が行われる。
【発明の効果】
【００１３】
以上のように本発明によれば、磁気ディスク装置の非動作時にはラッチによってアクチュエータは確実にロックされ、機械的衝撃が加えられても媒体上にロードすることはなくなる。また磁気ディスク装置の動作時には、ロード動作のためにボイスコイルモータのコイルに電流が流れることによってラッチのロックが解除され、ロック解除のための特別な配線および制御を必要とすることなく、ロック解除が可能となる。これによって大きなコストをかけることなく、磁気ディスク装置の非動作時における機械的衝撃に対する信頼性を上げることが可能となる。
【発明を実施するための最良の形態】
【００１４】
以下図面を用いて本発明の実施形態について詳細に説明する。図１は本発明の電磁ラッチが備えられる磁気ディスク装置の概略構成を示す図である。
【００１５】
図１において、スピンドルモータ１のロータ部にディスク２が固定されている。ディスク２は、磁気ディスク装置の動作時にはモータ１の軸を中心にして回転駆動される。
【００１６】
アクチュエータ３は、軸４の回りに回転可能なように配置され、その先端にはヘッドスライダ５が取り付けられている。アクチュエータ３は、軸４を中心として、互いに反対方向に回転するヘッドアーム６とコイルアーム７とを備えている。
【００１７】
図１においては、アクチュエータ３は待避位置、すなわち磁気ディスク装置の非動作時の位置にあり、磁気ディスク装置の動作時には後述するボイスコイルモータのコイルに電流が流れることによって駆動され、反時計方向に回転することにより、ヘッドスライダ５がディスク２上の適切な位置に移動するロード動作が行われ、磁気ディスク装置の動作停止にあたっては、逆にアクチュエータ３は図１に示す位置にアンロードされる。
【００１８】
図１においてボイスコイルモータ（ＶＣＭ）８は、コイルアーム７の内部に実装されたボイスコイル９や、図示しない永久磁石などによって構成されている。ボイスコイル９には、図示しない制御部などから駆動電流が供給される。
【００１９】
クラッシュストップ１０は、磁気ディスク装置の動作中にボイスコイルモータ８の異常動作が起こってしまった場合などに、アクチュエータ３の回転を強制的に停止させ、アクチュエータ３がスピンドルモータ１などの他の部分に衝突することを防止するためのものである。磁気ディスク装置のその他の構成部分については、本発明に直接の関係がないため、その図示と説明を省略する。
【００２０】
図２は、本実施形態において、ボイスコイルモータのコイルに近接して設けられる、ラッチ駆動用コイルの説明図である。同図に示すように、アクチュエータ３を回転駆動させるためのＶＣＭ８のコイル（ボイスコイル）９に隣接するように、ラッチ駆動用コイル１２が巻かれた磁性体が設置される。
【００２１】
図３は図２のラッチ駆動用コイル１２の上に設けられるラッチの説明図である。図２に示したラッチ駆動用コイル１２の上にかぶさるように、アクチュエータ３をロックするためのラッチ１５が設置される。磁気ディスク装置の非動作時にはＶＣＭコイル９には電流が流れないため、ラッチ駆動用コイル１２には誘導電流は流れず、ラッチ１５の構成部品としての磁性体１６、すなわちラッチ駆動用コイル１２の上にかぶさる形式の磁性体１６には電磁力は働かず、ラッチ１５はアクチュエータ３をロックする状態に保たれる。
【００２２】
これによって磁気ディスク装置の非動作時に機械的衝撃がかかっても、アクチュエータ３はラッチ１５でロックされた位置から移動することができず、アクチュエータ３は媒体上にロードされることはない。この状態が図４に示されている。
【００２３】
これに対して磁気ディスク装置の動作時には、アクチュエータ３をロードするためにＶＣＭコイル９に電流が流れ、この電流によってラッチ駆動用コイル１２に誘導電流が流れる。この誘導電流のためにラッチ駆動用コイル１２は電磁力を発生し、ラッチ１５の一部としての磁性体１６を下に引きつけ、アクチュエータ３のロックが解除される。この状態を図５に示す。
【００２４】
アクチュエータ３のアンロード時には、例えば図４の状態に戻るようにスロープをつけておくことによって、ラッチ１５はアクチュエータ３をロックする位置に戻り、アクチュエータ３が機械的衝撃などによって媒体上にロードすることがなくなる。
【産業上の利用可能性】
【００２５】
本発明は、磁気ディスク装置の製造産業は当然のこととして、ディスクのラッチ機構を必要とするすべての産業において利用可能である。
【図面の簡単な説明】
【００２６】
【図１】本発明の電磁ラッチが備えられる磁気ディスク装置の概略構成を示す図である。
【図２】ＶＣＭのコイルに近接して設けられるラッチ駆動用コイルを示す図である。
【図３】図２のラッチ駆動用コイルの上に備えられるラッチを示す図である。
【図４】磁気ディスク装置が動作していない時のラッチの状態を示す図である。
【図５】磁気ディスク装置の動作時におけるラッチの状態を示す図である。
【符号の説明】
【００２７】
１  スピンドルモータ
２  ディスク
３  アクチュエータ
４  軸
５  ヘッドスライダ
６  ヘッドアーム
７  コイルアーム
８  ボイスコイルモータ（ＶＣＭ）
９  ボイスコイル（ＶＣＭコイル）
１０  クラッシュストップ
１２  ラッチ駆動用コイル
１５  ラッチ
１６  磁性体
【図１】
2005044475.tif 000003
【図２】
2005044475.tif 000004
【図３】
2005044475.tif 000005
【図４】
2005044475.tif 000006
【図５】
2005044475.tif 000007